(57)【要約】  【課題】樹脂製トップテーブルにおける冷蔵庫箱体の開口部を閉塞する扉を回転支持するヒンジピン部の強度を高める。  【解決手段】樹脂製トップテーブル１１にヒンジピン挿入用凹部１４を一体に設け、ヒンジピン挿入用凹部１４の外周に平板の鉄板からなる補強板１５を備え、ヒンジピン挿入用凹部１４の外周壁面と補強板１５との間に凹部外周支持部材１６を隙間なく嵌合するように配置しているので、回転支持されたヒンジピン１３にかかる負荷を押え、ヒンジピン１３周辺の強度を高めることができ、扉１２の開閉時の操作性、安全性を高めることができる。【選択図】図２
2006023016.tif 000002
【特許請求の範囲】
【請求項１】
樹脂製トップテーブルと、冷蔵庫箱体の前面開口部を閉塞する扉とをヒンジピンにて回転支持させた冷蔵庫において、樹脂製のトップテーブルにヒンジピン挿入用凹部を設け、前記凹部の外周に補強板を配設し、前記凹部の外周壁面と前記補強板との間に凹部外周支持部材を設けたことを特徴とする冷蔵庫。
【請求項２】
凹部外周支持部材にヒンジピン軸方向に沿った円筒リブを構成したことを特徴とした請求項１に記載の冷蔵庫。
【請求項３】
凹部外周支持部材にヒンジピン軸方向に沿った円筒リブの先端は、樹脂製トップテーブルのヒンジピン挿入用凹部の先端と略同一としたことを特徴とする請求項２に記載の冷蔵庫。
【請求項４】
凹部外周支持部材のヒンジピン軸方向に沿った円筒リブは前記ヒンジピン挿入用凹部の内面まで延出して形成したことを特徴とする請求項２に記載の冷蔵庫。
【請求項５】
ヒンジピン挿入用凹部の内面まで延出して形成した円筒リブは高摺動材料からなることを特徴とする請求項４に記載の冷蔵庫。
【請求項６】
円筒リブは凹部外周支持部材と一体成形したことを特徴とする請求項２から５のいずれか一項に記載の冷蔵庫。
【請求項７】
樹脂製トップテーブルと、冷蔵庫箱体の前面開口部を閉塞する扉とをヒンジピンにて回転支持させた冷蔵庫において、樹脂製のトップテーブルにヒンジピン挿入用凹部を設け、前記凹部の外周に補強板を配設し、前記凹部の外周壁面を支持する断面Ｌ字状支持部を前記補強板に一体に形成したことを特徴とする冷蔵庫。
【請求項８】
補強板に一体に形成された断面Ｌ字状支持部の先端は樹脂製トップテーブルのヒンジピン挿入用凹部の先端と略同一としたことを特徴とする請求項７に記載の冷蔵庫。
【発明の詳細な説明】
【技術分野】
【０００１】
本発明は、樹脂製トップテーブルと冷蔵庫箱体の開口部を閉塞する扉を回転支持するヒンジピン部の補強に関するものである。
【背景技術】
【０００２】
従来より、小型の冷蔵庫では冷蔵庫の天面に樹脂製トップテーブルを備えている（例えば、特許文献１参照）。
【０００３】
図５は、特許文献１に記載された従来の冷蔵庫の斜視図である。図６は、特許文献１に記載された従来の扉を回転支持するヒンジピン部の図５のＡ−Ａ断面図である。図５に示すように、従来の技術は、冷蔵庫箱体１と、冷蔵庫箱体１の前面開口部を閉塞する扉２と、冷蔵庫箱体１の上部に取付けられた樹脂製のテーブル板３とで構成され、図６に示すように、回転支持されるヒンジピン４には係止片５が設けられている。
【０００４】
上記構成において、動作を説明する。冷蔵庫箱体１の前面開口部を閉塞する扉２を、冷蔵庫箱体１の上部に取付けられた樹脂製テーブル板３に、ヒンジピン４が取付けられ、回転支持をさせ、冷蔵庫用扉を構成している。樹脂製テーブル板３には、ヒンジピン４挿入用の穴が設けられており、樹脂製テーブル板３の上方より穴をめがけてヒンジピン４を押し込むと、穴にヒンジピン４が挿入され、ヒンジピン４に設けられた係止片５が、樹脂製テーブル板３の凸部に係止されるものである。
【特許文献１】特開昭６２−９１７７８号公報
【発明の開示】
【発明が解決しようとする課題】
【０００５】
しかしながら、上記従来の構成では、樹脂製テーブル板にヒンジピンが取付けられ、回転支持している為、扉開閉される程ヒンジピン周りには負荷がかかり、樹脂製のテーブル板が負荷に耐えきれない場合が発生するという強度的な問題があった。
【０００６】
本発明は、上記従来の課題を解決するもので、樹脂製トップテーブルと冷蔵庫箱体の開口部を閉塞する扉を回転支持するヒンジピン部の強度を高めた冷蔵庫を提供することを目的とする。
【課題を解決するための手段】
【０００７】
上記従来の課題を解決するために、本発明の冷蔵庫は、樹脂製トップテーブルと、冷蔵庫箱体の前面開口部を閉塞する扉とをヒンジピンにて回転支持させた冷蔵庫において、樹脂製のトップテーブルにヒンジピン挿入用凹部を設け、前記凹部の外周に補強板を配設し、前記凹部の外周壁面と前記補強板との間に凹部外周支持部材を設けたものである。
【０００８】
これによって、樹脂製トップテーブルのヒンジピン挿入用凹部は、外周の強度が高まり、回転支持されたヒンジピンにかかる負荷を押えることができる。
【発明の効果】
【０００９】
本発明の冷蔵庫は、ヒンジピン挿入用凹部の外周に設けた補強板と凹部外周支持部材とにより、ヒンジピン周辺の強度を高めることができる。
【発明を実施するための最良の形態】
【００１０】
請求項１に記載の発明は、樹脂製トップテーブルと、冷蔵庫箱体の前面開口部を閉塞する扉とをヒンジピンにて回転支持させた冷蔵庫において、樹脂製のトップテーブルにヒンジピン挿入用凹部を設け、前記凹部の外周に補強板を配設し、前記凹部の外周壁面と前記補強板との間に凹部外周支持部材を設けたものであり、回転支持されたヒンジピンにかかる負荷を押え、ヒンジピン周辺の強度を高めることができる。
【００１１】
請求項２に記載の発明は、請求項１に記載の発明において、凹部外周支持部材にヒンジピン軸方向に沿った円筒リブを構成したものであり、より強度の高いヒンジピン周りを構成することができる。
【００１２】
請求項３に記載の発明は、請求項２に記載の発明において、凹部外周支持部材にヒンジピン軸方向に沿った円筒リブの先端は、樹脂製トップテーブルのヒンジピン挿入用凹部の先端と略同一としたものであり、ヒンジピン挿入用凹部の外周壁面全体を支持でき、さらに確実に強度を高めることができる。
【００１３】
請求項４に記載の発明は、請求項２に記載の発明において、凹部外周支持部材のヒンジピン軸方向に沿った円筒リブは前記ヒンジピン挿入用凹部の内面まで延出して形成したものであり、扉開閉時にかかるヒンジピンの負荷が、直接、樹脂製トップテーブルのヒンジピン挿入用凹部にかからず、強度をさらに高めることができる。
【００１４】
請求項５に記載の発明は、請求項４に記載の発明において、ヒンジピン挿入用凹部の内面まで延出して形成した円筒リブは高摺動材料からなるものであり、ヒンジピンが回転支持された時、潤滑剤を使用することなく摺動性を上げることができる。
【００１５】
請求項６に記載の発明は、請求項２から５のいずれか一項に記載の発明において、円筒リブは凹部外周支持部材と一体成形したものであり、ヒンジピン周辺の強度をさらに高められるとともに、組立性の向上、コスト低減が可能となる。
【００１６】
請求項７に記載の発明は、樹脂製トップテーブルと、冷蔵庫箱体の前面開口部を閉塞する扉とをヒンジピンにて回転支持させた冷蔵庫において、樹脂製のトップテーブルにヒンジピン挿入用凹部を設け、前記凹部の外周に補強板を配設し、前記凹部の外周壁面を支持する断面Ｌ字状支持部を前記補強板に一体に形成したものであり、別部材を用いずヒンジピン挿入用凹部の補強ができ、組立部品点数の削減、低コスト化が可能となる。
【００１７】
請求項８に記載の発明は、請求項７に記載の発明において、補強板に一体に形成された断面Ｌ字状支持部の先端は樹脂製トップテーブルのヒンジピン挿入用凹部の先端と略同一としたものであり、凹部の先端までが補強され、より強度の高いヒンジピン周りを構成することができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の斜視図、図２は、図１のＢ−Ｂ断面図である。
【００２０】
図１において、冷蔵庫１０の天面には樹脂製トップテーブル１１と、冷蔵庫１０の前面開口部を閉塞する扉１２とをヒンジピン１３にて回転支持させる。
【００２１】
また、図２において、樹脂製トップテーブル１１のヒンジピン挿入用凹部１４は樹脂製トップテーブル１１成形時に一体に成形される。そしてヒンジピン挿入用凹部１４の外周には平板の鉄板からなる補強板１５が備えられており、ヒンジピン挿入用凹部１４の外径よりも大きい孔内にヒンジピン挿入用凹部１４を配置し、さらにヒンジピン挿入用凹部１４の外周壁面と補強板１５との間に凹部外周支持部材１６を隙間なく嵌合するように配置している。なお、補強板１５は樹脂製トップテーブル１１の内面にツメ等で固着させている。
【００２２】
また、凹部外周支持部材１６にはヒンジピン１３の軸方向に沿った円筒リブ１７を構成している。そして、円筒リブ１７の先端面１７ａはヒンジピン挿入用凹部１４の先端面１４ａと略同一としている。
【００２３】
上記構成により、樹脂製トップテーブル１１にヒンジピン挿入用凹部１４を一体に設け、ヒンジピン挿入用凹部１４の外周に平板の鉄板からなる補強板１５を備え、ヒンジピン挿入用凹部１４の外周壁面と補強板１５との間に凹部外周支持部材１６を隙間なく嵌合するように配置しているので、回転支持されたヒンジピン１３にかかる負荷を押え、ヒンジピン１３周辺の強度を高めることができ、扉１２の開閉時の操作性、安全性を高めることができる。
【００２４】
また、凹部外周支持部材１６にはヒンジピン１３の軸方向に沿った円筒リブ１７を構成しているので、さらに強度を高めることができる。
【００２５】
また、凹部外周支持部材１６のヒンジピン１３軸方向に沿った円筒リブ１７の先端面１７ａはヒンジピン挿入用凹部１４の先端面１４ａと略同一としているので、ヒンジピン挿入用凹部１４の外周壁面全体を支持でき、さらに確実に強度を高めることができる。
【００２６】
（実施の形態２）
図３は、図１のＢ−Ｂ断面図で、本発明の実施の形態２における冷蔵庫のヒンジ部周辺の断面を示している。なお、実施の形態１と同一構成部分については省略し、異なる部分についてのみ説明する。
【００２７】
図３において、凹部外周支持部材１８のヒンジピン軸方向に沿った円筒リブ１７は、ヒンジピン挿入用凹部１４の先端面１４ａに接しながら延出し、ヒンジピン挿入用凹部１４の内面に接するように延出部１９を形成している。そして、ヒンジピン１３の外周を覆うように延出部１９を筒状に形成している。
【００２８】
また、凹部外周支持部材１８の延出部１９は高摺動材料であるポリアセタール等を用いている。なお、凹部外周支持部材１８はトップテーブル１１と一体にＰＰやＡＢＳ材料で成形してもよい。また、円筒リブ１７と延出部１９は凹部外周支持部材１８として一体に成形してもよい。
【００２９】
上記構成により、凹部外周支持部材１８の円筒リブ１７は、ヒンジピン挿入用凹部１４の先端面１４ａに接しながら延出し、ヒンジピン挿入用凹部１４の内面に接するように延出部１９を形成しているので、扉開閉時にかかるヒンジピンの負荷が、直接、樹脂製トップテーブルのヒンジピン挿入用凹部にかからず、強度をさらに高めることができる。
【００３０】
また、凹部外周支持部材１８の延出部１９は高摺動材料で構成しているので、ヒンジピン１３が回転支持された時、潤滑剤を使用することなく摺動性を上げることができる。
【００３１】
また、円筒リブ１７と延出部１９は凹部外周支持部材１８として一体に成形しているので、ヒンジピン周辺の強度をさらに高められるとともに、組立性の向上、コスト低減が可能となる。
【００３２】
（実施の形態３）
図４は、図１のＢ−Ｂ断面図で、本発明の実施の形態３における冷蔵庫のヒンジ部周辺の断面を示している。なお、実施の形態１と同一構成部分については省略し、異なる部分についてのみ説明する。
【００３３】
図４において、ヒンジピン挿入用凹部１４の外周部には、平板の鉄板からなる補強板２０が備えられており、ヒンジピン挿入用凹部１４の外径よりも大きい孔内にヒンジピン挿入用凹部１４を配置し、さらにヒンジピン挿入用凹部１４の外周壁面を覆うように断面Ｌ字状支持部２１を補強板２０と一体に形成している。そして、断面Ｌ字状支持部２１の先端面２１ａはヒンジピン挿入用凹部１４の先端面１４ａと略同一としている。
【００３４】
上記構成により、ヒンジピン挿入用凹部１４の外周壁面を覆うように断面Ｌ字状支持部２１を補強板２０と一体に形成しているので、別部材を用いずヒンジピン挿入用凹部の補強ができ、ヒンジピン周辺の強度が高まるとともに、組立部品点数の削減、低コスト化が可能となる。
【００３５】
また、断面Ｌ字状支持部２１の先端面２１ａはヒンジピン挿入用凹部１４の先端面１４ａと略同一としているので、凹部の先端までが補強され、よりヒンジピン周辺の強度を高めることができる。
【産業上の利用可能性】
【００３６】
以上のように、本発明にかかる冷蔵庫は、回転支持部をヒンジピンにて構成し、ヒンジピン外周や内周を支える部材にて補強することにより、扉開閉時にかかるヒンジピンへの負荷を抑えることが可能であり、ヒンジを備えた食品貯蔵庫や家具等の用途にも適用できる。
【図面の簡単な説明】
【００３７】
【図１】本発明の実施の形態１から３における冷蔵庫の斜視図
【図２】本発明の実施の形態１における図１のＢ−Ｂ断面図
【図３】本発明の実施の形態２における図１のＢ−Ｂ断面図
【図４】本発明の実施の形態３における図１のＢ−Ｂ断面図
【図５】従来の冷蔵庫の斜視図
【図６】従来の冷蔵庫における図５のＡ−Ａ断面図
【符号の説明】
【００３８】
１０  冷蔵庫
１１  樹脂製トップテーブル
１２  扉
１３  ヒンジピン
１４  ヒンジピン挿入用凹部
１４ａ  ヒンジピン挿入用凹部先端面
１５、２０  補強板
１６、１８  凹部外周支持部材
１７  円筒リブ
１７ａ  円筒リブ先端面
１９  延出部
２１  断面Ｌ字状支持部
２１ａ  断面Ｌ字状支持部先端面
【図１】
2006023016.tif 000003
【図２】
2006023016.tif 000004
【図３】
2006023016.tif 000005
【図４】
2006023016.tif 000006
【図５】
2006023016.tif 000007
【図６】
2006023016.tif 000008